(57)【要約】      （修正有）【課題】鍬形の取付部が鍬形台より取れてしまうことがなく丈夫であり、鍬形を支持するばね片を安定して簡便に取付部に装着することができ、かつ、ばね片の交換も簡便に行うことができる鍬形台の立物取付構造を提供する。【解決手段】鍬形の差込部６が挿入可能な開口部５を有する取付部４が鍬形台１に一体に形成されており、その取付部４にばね部１４と翼部１１を有るばね片８が挿入されている。鍬形はそのばね片８のばね部１４によって支持されている。上記取付部４の開口部５内には支持部１５が設けられており、この支持部１５でばね片８の翼部１１を支持している。【選択図】図８
0003166434.tif 000002
【実用新案登録請求の範囲】
【請求項１】
鍬形等の立物の差込部が挿入可能な開口部を有する取付部を鍬形台に一体に形成し、その取付部にばね部と翼部を有るばね片を装着し、上記取付部の開口部内に支持部を設け、この支持部に上記ばね片の翼部を支持するようにしたことを特徴とする鍬形台の立物取付構造。
【請求項２】
ばね部は、ばね片のほぼ中央部にばね機能を有する舌片部を備えた請求項１に記載の鍬形台の立物取付構造。
【請求項３】
ばね片は、取付部の開口部の縁部に当接する押え部を備えた請求項１または２に記載の鍬形台の立物取付構造。
【請求項４】
翼部は、取付部の差込側に傾斜するように支持部側に突出する歯状の係止部を備えた請求項１ないし３のいずれかに記載の鍬形台の立物取付構造。
【考案の詳細な説明】
【技術分野】
【０００１】
本考案は、鍬形台に鍬形等の立物を装着する鍬形台の立物取付構造に関する。
【背景技術】
【０００２】
一般に鍬形台には鍬形が取付けられている。鍬形の取り付け方法は、鍬形台に筒状の取付部をハンダ付けし、その取付部の筒状部に鍬形の差込部を挿入して取り付けている。また、その際に、取付部に内方に張り出したばね部を一体に設け、このばね部によって鍬形を支持するようにしている。
【０００３】
このように、鍬形を支持する取付部が鍬形台にハンダ付けされているので、鍬形を取付部に挿入しているときにハンダの部分が剥がれてしまうことがあった。また、鍬形の差込部を取付部に幾度か挿入している間にばね部がへたってしまい、鍬形を取付部に挿入した際に鍬形部分がガタ付いて鍬形を取付部にしっかりと支持することができないことがあった。
【考案の概要】
【考案が解決しようとする課題】
【０００４】
本考案は、これらの問題点を解消するものであり、鍬形等の立物の取付部が鍬形台より取れてしまうことがなく丈夫であり、かつ、立物を支持するばね片を安定して簡便に取付部に装着することができ、そのばね片の交換も簡便に行うことができる鍬形台の立物取付構造を提供しようとするものである。
【課題を解決するための手段】
【０００５】
本考案は、鍬形等の立物を装着する取付部を鍬形台に一体に設け、その取付部内にばね片を挿入しそのばね部によって立物を支持すると共に、ばね片に形成した翼部を鍬形台の取付部に設けた支持部に当ててばね片を鍬形台の取付部に確実にかつ安定して支持するようにしたものである。
【０００６】
また、本考案は、ばね片のばね部として内方に張り出した舌片部を設けたり、また、ばね片に取付部の開口部の縁部に接合する押え部を設けたり、更に、ばね片の翼部に取付部の開口部側に傾斜させて支持部側に突出する歯状の係止部を設けたりしたものである。
【０００７】
鍬形台の取付部は、アルミニウム合金、亜鉛合金、マグネシウム合金等の材料を用いてダイキャストしたり鋳鋼等を用いて鋳造したりして鍬形台と一体に形成されている。この鍬形台には、適宜メッキや塗装が施される。
鍬形台には、その左右部に大鍬形、長鍬形、三鍬形等の鍬形立物の差込部を挿入するための開口部を備えた取付部が設けられており、また、３本立ての鍬形台の場合には、中央部に更に龍（木龍を含む）、獅子、日（太陽）、日輪、月、剣、鏡、扇、輪、家紋等の立物を挿入するための開口部を備えた取付部が設けられている。なお、鍬形台の取付部内には、内方に突出する一対の支持部が設けられている。
【０００８】
鍬形は、鍬形台の取付部に挿入するばね片によって弾力的に支持されている。
このばね片は、ステレススチールやばね鋼等のばね材などの弾性を有する材料で形成されており、中央部にばね部が、左右部に翼部が、また前後部に取付部の開口部縁部に接合する押え部（前部のみに設ける場合がある）がそれぞれ形成されている。このばね片には、適宜メッキや塗装が施される。
【０００９】
上記ばね片は、通常、板材を用いこの板材を打ち抜いて形成される。中央部のばね部は、矩形に相当する部分の三方の辺を切り込み、その切り込まれた部分を取付部の開口部側内方に張り出して舌片部を形成している。なお、舌片部の形状は、上記矩形状の外、四角形状、半円形状、半楕円形状、半小判形状等ばね部としての機能を有する形状のものとすることができる。
【００１０】
ばね片の左右に設けられる一対の翼部は、下方（取付部の開口部内方側）に折り曲げられその下辺側が外方に広がるように斜状に形成されている。この一対の翼部は、ばね片を取付部内に挿入した際に取付部内の一対の支持部に当接される。なお、この支持部は、取付部内の一方の側のみに設けるようにしてもよい。上記ばね片の前面側（取付部の開口部挿入側）に設けられる押え部は、上方に折り曲げられており、ばね片を取付部内に挿入する際に取付部の開口部の縁部に当接させてばね片の移動を阻止している。また、ばね片の後面側に設けられる押え部は、ばね片を取付部に差し込んだ後に上方に折り曲げて取付部の開口部の反対側の縁部に当接させる。
【００１１】
鍬形台の中央の取付部に挿入されるばね片には、下記のようにその翼部に係止部が形成されている。この係止部は、翼部の左右方向及びこれに連続する前後方向にＬ字状の複数の切込みを形成し、この切り込みによって囲まれる部分を開口部挿入側に傾斜するように下方に折り曲げて歯状に形成されている。
【考案の効果】
【００１２】
本考案は、立物を支持する取付部が鍬形台に一体に形成されているので、従来のように取付部が鍬形台より剥がれたりすることがない。また、立物は鍬形台の取付部に装着されるばね片のばね部によって支持される。更に、取付部内に挿入されるばね片は、ばね片の翼部が取付部の支持部に支持されると共にばね片の押え部がばね片の移動を阻止しているので、ばね片を取付部に確実かつ安定に装着することができる。また、ばね片が取付部に着脱可能に形成されているので、ばね部の機能が低下した際にばね片を簡便に交換することができる。更に、ばね片に係止部を設けた場合は、この係止部が取付部の支持部に係止されるのでばね片の抜け止めとなる。
【図面の簡単な説明】
【００１３】
【図１】鍬形と太陽の立物を装着した鍬形台の正面図である。
【図２】図１における鍬形台の裏面図である。
【図３】鍬形と太陽の立物を装着する状態を示す鍬形台の一部拡大裏面図である。
【図４】鍬形の取付部に装着されるばね片の斜面図である。
【図５】図４に示すばね片の展開図である。
【図６】図４に示すばね片の正面図である。
【図７】鍬形台の取付部に図４に示すばね片を装着し、その取付部に鍬形を挿入する状態を示す正面図であり、（Ａ）は鍬形台の取付部を示す正面図、（Ｂ）は取付部にばね片を装着した状態を示す正面図、（Ｃ）はばね片を装着した取付部に鍬形を挿入した状態を示す正面図である。
【図８】鍬形台の取付部に鍬形を挿入した状態を示す一部中央断面図である。
【図９】太陽の立物の取付部に装着されるばね片の斜面図である。
【図１０】図９に示すばね片の展開図である。
【図１１】図９に示すばね片の正面図である。
【図１２】太陽の立物の取付部に図９に示すばね片を装着し、その取付部に太陽の立物を挿入する状態を示す正面図であり、（Ａ）は日の立物の取付部を示す正面図、（Ｂ）は取付部にばね片を装着した状態を示す正面図、（Ｃ）はばね片を装着した取付部に日の立物を挿入した状態を示す正面図である。
【図１３】太陽の立物の取付部にその立物を挿入した状態を示す一部中央断面図である。
【考案を実施するための形態】
【００１４】
図１ないし図３に示す鍬形台１には、その左右部に鍬形２が取り付けられていると共に、中央部に日（太陽）３が取り付けられている。これらの鍬形２及び日（太陽）３の立物は、鍬形台に設けた取付部４の開口部５に鍬形と日（太陽）の差込部６をそれぞれ挿入して取り付けられる。
【００１５】
この実施例では、鍬形台１と立物を支持する取付部４がアルミニウム合金によるダイキャストによって一体に形成されており、その鍬形台１の表面にメッキが施されている。この場合、鍬形２が装着される左右の取付部４の開口部５は貫通しているが、日（太陽）が装着される中央の取付部４の開口部５はその差込口の反対側が塞がっている。なお、日（太陽）が装着される側の開口部５を貫通状態に形成するようにしてもよい。上記鍬形台１には、適宜花鳥風月等の飾り模様７が施される。
【００１６】
鍬形台１の取付部４には、鍬形２や日（太陽）３の立物を挿入する際に、立物を鍬形台１に弾性的に支持するようにばね片８が装着されている。
【００１７】
以下、このばね片８の構成について、図４ないし図６を用いて説明する。
先ず、ステンレススチールの板材より打ち抜いてばね片素材９を形成する（図５）。このばね片素材９は、中央部に舌片状の切り込み１０が設けられてばね部１４が形成されており、その周縁部に一対の翼部１１と一対の押え部１２が設けられている。この例では、押え部１２の前面側（取付部の挿入口側）が帯状に、後面側が突片状（２個）に形成されているが、これらは、同じ形状のものでもよい。なお、ばね片素材９には、予め上記一対の翼部１１及び一対の押え部１２のそれぞれの境界線に折り目１３を形成しておくことができる。
【００１８】
次に、図４に示すように、上記舌片状の切り込み部分を下方に張り出して舌片部（ばね部１４）を形成し、上記一対の翼部１１を折り目１３に沿って下方に折り曲げ係止部１１の下辺どうしが広がるように斜状に形成し、更に押え部１２を上方に折り曲げることによってばね片８を形成する。この場合、翼部１１の後方側は順次細くなるように形成されており、ばね片８が鍬形台１の取付部４に挿入し易くなっている。
【００１９】
このばね片８を鍬形台取付部４の開口部５に挿入すると、ばね片８の翼部１１の下辺部が取付部内に形成された支持部１５に当接してばね片８がこの位置で支持される（図７Ｂ）。また、ばね片８の前面側の押え部１２を取付部４の前面側の縁部に当接させた状態で、ばね片の後面側の押え部１２を折り曲げてばね片８の挿入方向への移動を阻止する（図８）。
【００２０】
この状態で、鍬形台取付部の開口部５に鍬形２の差込部６を挿入すると、図７Ｃ及び図８に示すように、鍬形２の差込部６が取付部４の支持部１５間に位置して横方向の動きが阻止されると共に、ばね片８の舌片部１４が鍬形の差込部６を押圧して鍬形２が鍬形台１の取付部４に支持される。なお、鍬形２の差込部６を開口部５へ挿入する際に、差込部６に形成した段部１６を鍬形台１の取付部４の口縁に当てることによって差込量を調整している。
【００２１】
図９ないし図１１に示すばね片８は、鍬形台１の中央の取付部４に装着する場合に用いるばね片を示している。この場合、取付部４の開口部５の後方側が閉鎖されているので、ばね片８の後方側には押え部１２が設けられていない。なお、ばね片８の前面側には上下方向に分割された押え部１２が設けられている。
このばね片８には、翼部１１に複数のＬ字状の切り込み１７が形成されており（図１０）、その切り込み部分をそれぞれ前方側に傾斜するように下方に折り曲げることによって歯状の係止部１８が形成されている（図９）。
このばね片８を鍬形台１の中央の取付部４に装着すると、上記係止部１８の下面が取付部４の支持部１５に当接し係止部１８が引き出し方向に食い込むような状態となって係止されるので、ばね片８の抜け止めとなる。
【００２２】
なお、図９に示すばね片８を鍬形台１の取付部４に装着した場合も、上記図４に示すようなばね片８を装着した場合と同様の作用をするので、両者が共通している部分については説明を省略している。
【符号の説明】
【００２３】
１  鍬形台    ２  鍬形    ３  日（太陽）    ４  取付部    ５  開口部    ６  差込部    ８  ばね片    １１  翼部    １２  押え部    １４  ばね部、舌片部    １５  支持部    １８  係止部
【図１】
0003166434.tif 000003
【図２】
0003166434.tif 000004
【図３】
0003166434.tif 000005
【図４】
0003166434.tif 000006
【図５】
0003166434.tif 000007
【図６】
0003166434.tif 000008
【図７】
0003166434.tif 000009
【図８】
0003166434.tif 000010
【図９】
0003166434.tif 000011
【図１０】
0003166434.tif 000012
【図１１】
0003166434.tif 000013
【図１２】
0003166434.tif 000014
【図１３】
0003166434.tif 000015